【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
電子機器システムであって、
無線通信を行う第１無線通信部を有する第１の端末機器と、
無線通信を行う第２無線通信部を有するとともに、前記第２無線通信部の一部の回路の動作を停止させた第１スリープ状態に移行することが可能な第２の端末機器と、
を有し、
前記第１の端末機器の前記第１無線通信部は、前記第１スリープ状態の前記第２の端末機器の前記第１スリープ状態を解除させるための、無変調波である起動通知信号を生成して送信し、
前記第２の端末機器の前記第２無線通信部は、前記第１スリープ状態で、前記第１の端末機器の前記第１無線通信部から送信された前記起動通知信号を受信し、前記起動通知信号の電力の値に応じて前記第２の端末機器の前記第１スリープ状態を解除することを特徴とする電子機器システム。
【請求項２】
前記第２の端末機器の前記第２無線通信部は、前記起動通知信号の電力の値が第１の閾値以上であるときに、前記第２の端末機器の前記第１スリープ状態を解除することを特徴とする請求項１に記載の電子機器システム。
【請求項３】
前記第２端末機器の前記第２無線通信部は、前記起動通知信号を受信することが可能な通知信号受信部と、前記起動通知信号の電力の値に基づいて前記第２端末機器の前記第１スリープ状態を解除するスリープ状態解除制御部と、を有し、
前記第２端末機器は、前記第１スリープ状態で、前記第２無線通信部における前記通知信号受信部及び前記スリープ状態解除制御部を動作させ、前記第２無線通信部における前記通知信号受信部及び前記スリープ状態解除制御部を除く回路部の動作を停止させることを特徴とする請求項１又は２に記載の電子機器システム。
【請求項４】
前記第１端末機器の前記第１無線通信部は、前記無線通信に使用される搬送波を生成して、前記搬送波を前記起動通知信号として送信する通知信号送信部と、前記搬送波を特定の情報に対応して変調するための変調回路部と、を有し、
前記第１端末機器は、前記第１無線通信部の一部の回路の動作を停止させた第２スリープ状態に移行することが可能であり、
前記第１端末機器は、前記第２スリープ状態で、前記第１無線通信部における前記通知信号送信部を動作させ、前記第１無線通信部における前記変調回路部の動作を停止させることを特徴とする請求項１乃至３の何れか一項に記載の電子機器システム。
【請求項５】
前記第２の端末機器の前記第２無線通信部は、前記無線通信に使用される搬送波を生成して、前記搬送波を起動確認信号として送信する確認信号送信部と、前記搬送波を特定の情報に対応して変調するための変調回路部と、を有し、
前記第２無線通信部の前記スリープ状態解除制御部は、前記第２端末機器の前記第２スリープ状態が解除されたときに、前記確認信号送信部から前記起動確認信号を送信させ、
前記第１の端末機器の前記第１無線通信部は、前記第２の端末機器から送信される前記起動確認信号を受信する確認信号受信部と、前記起動確認信号の電力の値に基づいて、前記第２の端末機器の前記第２のスリープ状態が解除されたか否かを判定する動作状態判定部と、を有することを特徴とする請求項４に記載の電子機器システム。
【請求項６】
前記動作状態判定部は、前記起動確認信号の電力の値が第２の閾値以上であるときに、前記第２の端末機器のスリープ状態が解除されたと判定することを特徴とする請求項５に記載の電子機器システム。
【請求項７】
前記第１端末機器は、
前記第２スリープ状態で、前記通知信号送信部より前記起動通知信号を送信した後、前記第１無線通信部における前記確認信号受信部と前記動作状態判定部とを動作させ、
前記第１無線通信部における前記確認信号受信部及び前記動作状態判定部を除く回路部の動作を停止させて、前記確認信号受信部により前記起動確認信号を受信し、
前記動作状態判定部により前記第２端末機器の前記第２のスリープ状態が解除されたか否かを判定することを特徴とする請求項５又は６に記載の電子機器システム。
【請求項８】
無線通信を行う複数の端末機器を備える電子機器システムに適用される一の端末機器であって、
一部の回路の動作を停止させたスリープ状態になっている他の端末機器の前記スリープ状態を解除させるときに、無変調波である起動通知信号を生成して無線通信により送信する通知信号送信部を有することを特徴とする端末機器。
【請求項９】
無線通信を行う複数の端末機器を備える電子機器システムに適用される一の端末機器であって、
他の端末機器から送信される、無変調波である起動通知信号を、一部の回路の動作を停止させたスリープ状態で、無線通信により受信し、前記起動通知信号の電力の値に基づいて、前記スリープ状態を解除する無線通信部を有することを特徴とする端末機器。
【請求項１０】
電子機器システムの制御方法であって、
前記電子機器システムは、無線通信を行う第１無線通信部を有する第１端末機器と、無線通信を行う第２無線通信部を有するとともに、前記第２無線通信部の一部の回路の動作を停止させたスリープ状態に移行することが可能な第２端末機器と、を有し、
前記第１端末機器の前記第１無線通信部により、前記スリープ状態の前記第２の端末機器の前記スリープ状態を解除させるための、無変調波である起動通知信号を生成して送信し、
前記第１の端末機器の前記第１無線通信部から送信された前記起動通知信号を、前記スリープ状態の前記第２の端末機器の前記第２無線通信部により受信し、前記起動通知信号の電力の値に基づいて、前記第２の端末機器の前記スリープ状態を解除する、
ことを特徴とする電子機器システムの制御方法。
【請求項１１】
前記第２の端末機器の前記スリープ状態が解除されたときに、前記第２の端末機器の前記無線通信部により、無変調波である起動確認信号を生成して送信し、
前記第２の端末機器の前記第２無線通信部から送信された前記起動確認信号を、前記第１の端末機器の前記第１無線通信部により受信し、前記起動確認信号の電力の値に基づいて、前記第２の端末機器の前記スリープ状態が解除されたか否かを判定する、
ことを特徴とする請求項１０に記載の電子機器システムの制御方法。
【請求項１２】
電子機器システムの制御プログラムであって、
前記電子機器システムは、無線通信を行う第１無線通信部を有する第１端末機器と、無線通信を行う第２無線通信部を有するとともに、前記第２無線通信部の一部の回路の動作を停止させたスリープ状態に移行することが可能な第２端末機器と、を有し、
コンピュータに、
前記第１端末機器の前記第１無線通信部により、前記スリープ状態の前記第２の端末機器の前記スリープ状態を解除させるための、無変調波である起動通知信号を生成させて送信させ、
前記第１の端末機器の前記第１無線通信部から送信された前記起動通知信号を、前記スリープ状態の前記第２の端末機器の前記第２無線通信部により受信させて、前記起動通知信号の電力の値に基づいて、前記第２の端末機器の前記スリープ状態を解除させる、
ことを特徴とする電子機器システムの制御プログラム。
【請求項１３】
前記第２の端末機器の前記スリープ状態が解除されたときに、前記第２の端末機器の前記第２無線通信部により、無変調波である起動確認信号を生成させて送信させ、
前記第２の端末機器の前記第２無線通信部から送信された前記起動確認信号を、前記第１の端末機器の前記第１無線通信部により受信させて、前記起動確認信号の電力の値に基づいて、前記第２の端末機器の前記スリープ状態が解除されたか否かを判定させる、
ことを特徴とする請求項１２に記載の電子機器システムの制御プログラム。
【手続補正２】
【補正対象書類名】明細書
【補正対象項目名】０００９
【補正方法】変更
【補正の内容】
【０００９】
本発明は、
電子機器システムであって、
無線通信を行う第１無線通信部を有する第１の端末機器と、
無線通信を行う第２無線通信部を有するとともに、前記第２無線通信部の一部の回路の動作を停止させた第１スリープ状態に移行することが可能な第２の端末機器と、
を有し、
前記第１の端末機器の前記第１無線通信部は、前記第１スリープ状態の前記第２の端末機器の前記第１スリープ状態を解除させるための、無変調波である起動通知信号を生成して送信し、
前記第２の端末機器の前記第２無線通信部は、前記第１スリープ状態で、前記第１の端末機器の前記第１無線通信部から送信された前記起動通知信号を受信し、前記起動通知信号の電力の値に応じて前記第２の端末機器の前記第１スリープ状態を解除することを特徴とする。
【手続補正３】
【補正対象書類名】明細書
【補正対象項目名】００１０
【補正方法】変更
【補正の内容】
【００１０】
本発明は、
無線通信を行う複数の端末機器を備える電子機器システムに適用される一の端末機器であって、
一部の回路の動作を停止させたスリープ状態になっている他の端末機器の前記スリープ状態を解除させるときに、無変調波である起動通知信号を生成して無線通信により送信する通知信号送信部を有することを特徴とする。
【手続補正４】
【補正対象書類名】明細書
【補正対象項目名】００１１
【補正方法】変更
【補正の内容】
【００１１】
本発明は、
無線通信を行う複数の端末機器を備える電子機器システムに適用される一の端末機器であって、
他の端末機器から送信される、無変調波である起動通知信号を、一部の回路の動作を停止させたスリープ状態で、無線通信により受信し、前記起動通知信号の電力の値に基づいて、前記スリープ状態を解除する無線通信部を有することを特徴とする。
【手続補正５】
【補正対象書類名】明細書
【補正対象項目名】００１２
【補正方法】変更
【補正の内容】
【００１２】
本発明は、
電子機器システムの制御方法であって、
前記電子機器システムは、無線通信を行う第１無線通信部を有する第１端末機器と、無線通信を行う第２無線通信部を有するとともに、前記第２無線通信部の一部の回路の動作を停止させたスリープ状態に移行することが可能な第２端末機器と、を有し、
前記第１端末機器の前記第１無線通信部により、前記スリープ状態の前記第２の端末機器の前記スリープ状態を解除させるための、無変調波である起動通知信号を生成して送信し、
前記第１の端末機器の前記第１無線通信部から送信された前記起動通知信号を、前記スリープ状態の前記第２の端末機器の前記第２無線通信部により受信し、前記起動通知信号の電力の値に基づいて、前記第２の端末機器の前記スリープ状態を解除する、
ことを特徴とする。
【手続補正６】
【補正対象書類名】明細書
【補正対象項目名】００１３
【補正方法】変更
【補正の内容】
【００１３】
本発明は、
電子機器システムの制御プログラムであって、
前記電子機器システムは、無線通信を行う第１無線通信部を有する第１端末機器と、無線通信を行う第２無線通信部を有するとともに、前記第２無線通信部の一部の回路の動作を停止させたスリープ状態に移行することが可能な第２端末機器と、を有し、
コンピュータに、
前記第１端末機器の前記第１無線通信部により、前記スリープ状態の前記第２の端末機器の前記スリープ状態を解除させるための、無変調波である起動通知信号を生成させて送信させ、
前記第１の端末機器の前記第１無線通信部から送信された前記起動通知信号を、前記スリープ状態の前記第２の端末機器の前記第２無線通信部により受信させて、前記起動通知信号の電力の値に基づいて、前記第２の端末機器の前記スリープ状態を解除させる、
ことを特徴とする。